(57)【特許請求の範囲】
【請求項１】
梁が延設される水平方向に複数本の上端主筋及び下端主筋が配筋され、これら上下の各主筋の長手方向に沿ってこれら上下の各主筋を交差状に取り囲むようにして複数のせん断補強筋が配筋されて、これら上下の主筋及びせん断補強筋がコンクリート母材に埋設されて構成される構造の鉄筋コンクリート梁に幅方向に貫通して形成される開口の回りを補強する、開口を有する鉄筋コンクリート梁における開口回り補強構造であって、
繊維入り補強モルタル又は繊維入り補強コンクリートにより形成され、前記梁の開口をなす開口部を有する略リング状又は略筒状の開口回り補強体が前記梁の開口を形成する位置に配置され、
複数本の開口回りせん断補強筋が一端を繊維入り補強モルタル又は繊維入り補強コンクリートからなる前記開口回り補強体の外周面の上部及び下部に埋め込み固定されて前記開口回り補強体に一体化され、他端は前記上下の各主筋まで延び前記上下の各主筋に交差状に係合され、
前記開口回り補強体及び前記上下の各開口回りせん断補強筋が前記上下の各主筋及び前記せん断補強筋とともに前記コンクリート母材に一体化されて、
鉄筋コンクリート梁の開口回りは、繊維入り補強モルタル又は繊維入り補強コンクリートからなる前記開口回り補強体と前記コンクリート母材が付着され、一端が繊維入り補強モルタル又は繊維入り補強コンクリートからなる前記開口回り補強体の外周面に埋め込み固定され、他端が前記上下の各主筋に交差状に係合されて前記開口回り補強体と前記上下の各主筋との間に配置される前記上下の各開口回りせん断補強筋、前記上下の各主筋間に配筋される前記各せん断補強筋が前記コンクリート母材と一体化されて構成されるトラス機構により補強される、
ことを特徴とする開口を有する鉄筋コンクリート梁における開口回り補強構造。
【請求項２】
開口回り補強体は多角形又は円形の断面形状を有する請求項１に記載の開口を有する鉄筋コンクリート梁における開口回り補強構造。
【請求項３】
開口回り補強体の外周面にコッターを備える請求項１又は２に記載の開口を有する鉄筋コンクリート梁における開口回り補強構造。
【請求項４】
開口回りせん断補強筋は突出端に主筋に係止可能に略Ｊ字形又は略Ｕ字形若しくは略コ字形のフックを備える請求項１乃至３のいずれかに記載の開口を有する鉄筋コンクリート梁における開口回り補強構造。
【請求項５】
梁が延設される水平方向に複数本の上端主筋及び下端主筋が配筋され、これら上下の各主筋の長手方向に沿ってこれら上下の各主筋を交差状に取り囲むようにして複数のせん断補強筋が配筋されて、これら上下の主筋及びせん断補強筋がコンクリート母材に埋設されて構成される構造の鉄筋コンクリート梁に幅方向に貫通して形成される開口の回りを補強する、開口を有する鉄筋コンクリート梁における開口回り補強方法であって、
繊維入り補強モルタル又は繊維入り補強コンクリートにより形成され、前記梁の開口をなす開口部を有する略リング状又は略筒状の開口回り補強体と、前記開口回り補強体の外周面の上部及び下部に一端を埋め込み固定されて前記開口回り補強体と一体化され、他端を当該外周面から突出させて、前記上下の各主筋に交差状に係合可能な複数本の開口回りせん断補強筋とを備えてなる開口回り補強部材を用い、
前記開口回り補強体を前記梁の開口を形成する位置に配置し、前記上下の各開口回りせん断補強筋を前記上下の各主筋に係合させて、前記開口回り補強体と前記上下の各主筋との間に配置し、
前記開口回り補強体及び前記上下の各開口回りせん断補強筋を前記上下の各主筋及び前記せん断補強筋とともに前記コンクリート母材に一体化して、
鉄筋コンクリート梁の開口回りを、繊維入り補強モルタル又は繊維入り補強コンクリートからなる前記開口回り補強体と記コンクリート母材を付着させ、一端を繊維入り補強モルタル又は繊維入り補強コンクリートからなる前記開口回り補強体の外周面に埋め込み固定し、他端を前記上下の各主筋に交差状に係合して前記開口回り補強体と前記上下の各主筋との間に配置した前記上下の各開口回りせん断補強筋、及び前記上下の各主筋間に配筋した前記各せん断補強筋を前記コンクリート母材と一体化して構成するトラス機構により補強する、
ことを特徴とする開口を有する鉄筋コンクリート梁における開口回り補強方法。
【発明の詳細な説明】
【技術分野】
【０００１】
本発明は、開口を有する鉄筋コンクリート梁における開口回り補強構造及び方法に関する。
【背景技術】
【０００２】
一般に、鉄筋コンクリート造の梁は、コンクリートのアーチ機構と、主筋及びせん断補強筋による配筋と、コンクリート母材とにより形成されるトラス機構によって、せん断力に対抗する耐力が付与されている。この梁に開口（孔）を設けると、この開口でトラス機構は途切れ、開口の周辺に局所的な応力が作用して、梁の強度は低下する。そこで、従来は、鉄筋コンクリート造の建物を構築する際に、梁に設備配管などを設置するため開口を形成する場合、図１１に示すように、略Ｚ形をなす複数の斜め筋３を開口３０を囲むように斜め４５°の方向に配置したり、図１２に示すように、複数の鉄筋を網状に組み立てた補強金物４を開口４０の回りに配置したりして、開口回りを補強している。この種の開口回りの補強構造は特許文献１などに記載されている。
【先行技術文献】
【特許文献】
【０００３】
【特許文献１】特開２００６−１８３３１１４公報（段落０００２及び図１７、図１８）
【発明の概要】
【発明が解決しようとする課題】
【０００４】
しかしながら、上記従来の、図１１の斜め筋を用いた開口回りの補強構造では、斜め筋３を開口３０の回りに配置したにすぎず、応力伝達機構が考慮されていないため、構造上明確でなく、効率が悪い、という問題がある。この場合、図１３に示すように、主筋３１、３２と斜め筋３との間で十分な引張力の伝達が行われることはなく、開口回りの位置でせん断補強筋の力は途切れ、空白の部分が生じることになる。また、上記従来の、図１２の網状の補強金物を用いた開口回りの補強構造では、補強金物４をせん断補強筋と見なすことができるものの、この場合もまた、応力伝達機構が考慮された構造になっていないため、効率が悪く、さらに、開口４０の周辺の配筋量が多いために、配筋作業、コンクリートの充填作業が複雑で、施工が難しい、という問題がある。さらに、これら斜め筋３や補強金物４を開口回りに配置する構造では、開口のない梁に比べて、梁の耐力の差が大きく、梁に大開口を設ける必要がある場合に対応が難しい、という問題がある。
【０００５】
本発明は、このような従来の問題を解決するものであり、開口を有する鉄筋コンクリート梁において、当該開口回りを応力伝達機構を考慮して効率よく補強することができ、しかも施工を簡易に行い得る、開口を有する鉄筋コンクリート梁における開口回り補強構造及び方法を提供すること、を目的とする。
【課題を解決するための手段】
【０００６】
上記目的を達成するために、本発明は、梁が延設される水平方向に複数本の上端主筋及び下端主筋が配筋され、これら上下の各主筋の長手方向に沿ってこれら上下の各主筋を交差状に取り囲むようにして複数のせん断補強筋が配筋されて、これら上下の主筋及びせん断補強筋がコンクリート母材に埋設されて構成される構造の鉄筋コンクリート梁に幅方向に貫通して形成される開口の回りを補強する、開口を有する鉄筋コンクリート梁における開口回り補強構造であって、繊維入り補強モルタル又は繊維入り補強コンクリートにより形成され、前記梁の開口をなす開口部を有する略リング状又は略筒状の開口回り補強体が前記梁の開口を形成する位置に配置され、複数本の開口回りせん断補強筋が一端を繊維入り補強モルタル又は繊維入り補強コンクリートからなる前記開口回り補強体の外周面の上部及び下部に埋め込み固定されて前記開口回り補強体に一体化され、他端は前記上下の各主筋まで延び前記上下の各主筋に交差状に係合され、前記開口回り補強体及び前記上下の各開口回りせん断補強筋が前記上下の各主筋及び前記せん断補強筋とともに前記コンクリート母材に一体化されて、鉄筋コンクリート梁の開口回りは、繊維入り補強モルタル又は繊維入り補強コンクリートからなる前記開口回り補強体と前記コンクリート母材が付着され、一端が繊維入り補強モルタル又は繊維入り補強コンクリートからなる前記開口回り補強体の外周面に埋め込み固定され、他端が前記上下の各主筋に交差状に係合されて前記開口回り補強体と前記上下の各主筋との間に配置される前記上下の各開口回りせん断補強筋、前記上下の各主筋間に配筋される前記各せん断補強筋が前記コンクリート母材と一体化されて構成されるトラス機構により補強される、ことを要旨とする。この場合、開口回り補強体は多角形又は円形の断面形状を有することが好ましい。開口回り補強体の外周面にコッターを備えることが好ましい。開口回りせん断補強筋は突出端に主筋に係止可能に略Ｊ字形又は略Ｕ字形若しくは略コ字形のフックを備えることが好ましい。
【０００７】
また、上記目的を達成するために、本発明は、梁が延設される水平方向に複数本の上端主筋及び下端主筋が配筋され、これら上下の各主筋の長手方向に沿ってこれら上下の各主筋を交差状に取り囲むようにして複数のせん断補強筋が配筋されて、これら上下の主筋及びせん断補強筋がコンクリート母材に埋設されて構成される構造の鉄筋コンクリート梁に幅方向に貫通して形成される開口の回りを補強する、開口を有する鉄筋コンクリート梁における開口回り補強方法であって、繊維入り補強モルタル又は繊維入り補強コンクリートにより形成され、前記梁の開口をなす開口部を有する略リング状又は略筒状の開口回り補強体と、前記開口回り補強体の外周面の上部及び下部に一端を埋め込み固定されて前記開口回り補強体と一体化され、他端を当該外周面から突出させて、前記上下の各主筋に交差状に係合可能な複数本の開口回りせん断補強筋とを備えてなる開口回り補強部材を用い、前記開口回り補強体を前記梁の開口を形成する位置に配置し、前記上下の各開口回りせん断補強筋を前記上下の各主筋に係合させて、前記開口回り補強体と前記上下の各主筋との間に配置し、前記開口回り補強体及び前記上下の各開口回りせん断補強筋を前記上下の各主筋及び前記せん断補強筋とともに前記コンクリート母材に一体化して、鉄筋コンクリート梁の開口回りを、繊維入り補強モルタル又は繊維入り補強コンクリートからなる前記開口回り補強体と記コンクリート母材を付着させ、一端を繊維入り補強モルタル又は繊維入り補強コンクリートからなる前記開口回り補強体の外周面に埋め込み固定し、他端を前記上下の各主筋に交差状に係合して前記開口回り補強体と前記上下の各主筋との間に配置した前記上下の各開口回りせん断補強筋、及び前記上下の各主筋間に配筋した前記各せん断補強筋を前記コンクリート母材と一体化して構成するトラス機構により補強する、ことを要旨とする。
【発明の効果】
【０００９】
本発明の開口回り補強構造及び方法によれば、繊維入り補強モルタル又はコンクリートにより略リング状又は略筒状に形成された開口回り補強体を梁の開口を形成する位置に配置し、（上下の）開口回りせん断補強筋を上下の各主筋に係合させて、コンクリート母材に一体化し、梁の開口を引張力が作用しても脆性的に壊れない繊維入り補強モルタル又はコンクリートを使用して形成するので、トラス機構によるコンクリートの圧縮力を伝達することができ、また、（上下の）開口回りせん断補強筋をこの引張力が作用しても脆性的に壊れない開口回り補強体を介して一体化し、この（上下の）開口回りせん断補強筋を上下の各主筋に係合するので、この（上下の）開口回りせん断補強筋に作用する応力を高強度の開口回り補強体を通して相互に伝達することができ、そして、これら開口回り補強部材、（上下の）主筋、せん断補強筋、及びコンクリートによりトラス機構を構成するので、開口回り補強部材とコンクリートとの間で応力の伝達を確実に行え、開口を有する鉄筋コンクリート梁のせん断耐力を著しく向上させることができるなど、開口を有する鉄筋コンクリート梁において、当該開口回りを応力伝達機構を考慮して効率よく補強することができる、という格別な効果を奏する。また、この補強構造及び方法では、従来のように開口の回りに複数の鉄筋を複雑な配置により配筋することがないので、開口回りの配筋作業が容易で、コンクリートの充填性がよいなど、施工を簡易に行うことができる、という顕著な効果を奏する。
【図面の簡単な説明】
【００１０】
【図１】本発明の一実施の形態における開口回り補強部材の構成を示す斜視図
【図２】（ａ）同開口回り補強部材を用いた開口回りの補強構造を示す正面断面図（ｂ）同側面断面図
【図３】同開口回り補強部材を用いた開口回りの補強方法を示す斜視図
【図４】同開口回り補強部材を用いた開口回りの補強方法の具体的施工手順を示す図
【図５】同開口回り補強部材を用いた開口回りの補強方法の他の具体的な施工手順を示す図
【図６】同開口回り補強部材を用いた開口回りの補強性能を示す図
【図７】開口回り補強部材の変更例を示す斜視図
【図８】同開口回り補強部材を用いた開口回りの補強構造及び方法を示す斜視図
【図９】開口回り補強部材のまた別の変更例を示す斜視図
【図１０】同開口回り補強部材を用いた開口回りの補強構造及び方法を示す斜視図
【図１１】従来の開口を有する鉄筋コンクリート梁における開口回りの補強構造の一例を示す正面断面図
【図１２】（ａ）従来の開口を有する鉄筋コンクリート梁における開口回りの補強構造の別の例を示す正面断面図（ｂ）同側面断面図
【図１３】図１１に示す従来の開口回りの補強構造における補強性能を示す図
【発明を実施するための形態】
【００１１】
次に、この発明を実施するための形態について図を用いて説明する。図１に鉄筋コンクリート梁に幅方向に貫通して形成される開口の回りを補強するのに使用する開口回り補強部材を示している。図１に示すように、開口回り補強部材１は開口回り補強体１０と複数の開口回りせん断補強筋１１とを備えて構成される。
【００１２】
開口回り補強体１０は繊維入り補強モルタル又はコンクリート（この記載は「繊維入り補強モルタル又は繊維入り補強コンクリート」を意味するもので、他の箇所においても同様である。）により、鉄筋コンクリート梁の開口をなす開口部１０１を有する断面多角形の略リング状（又は筒状）に形成される。この場合、繊維入り補強モルタル又はコンクリートに（超）高強度繊維補強モルタル又はコンクリートが採用され、開口回り補強体１０は断面六角形の外形を有する略リング状（又は略筒状）に、所定の強度を保有するために必要な（比較的大きな）肉厚にして形成され、開口部１０１は所定の形状、ここでは所定の内径を有する円形に形成される。また、この開口回り補強体１０には外周面１０２にコッター１０３を備え、この場合、外周面１０２の６面の略中央にそれぞれ、長方形の溝が形成される。なお、この開口回り補強体１の場合、外周面の６つの頂部のうち相互に対向する（任意の）２つの頂部を上下に向けた状態、又は外周面の６つの面のうち相互に対向する（任意の）２つの面を上下に向けた状態で使用するが、ここでは、前者の状態を使用時の態様とする。
【００１３】
複数の開口回りせん断補強筋１１はそれぞれ、先端にフック１１０を有する２本一対の鉄筋１１１からなり、各一対の鉄筋１１１が一端側を開口回り補強体１０の外周面１０２の上部及び下部に所定のピッチで、（一方の開口１０１面を正面とした場合）上下対称にかつ上下各部で左右対称に埋め込み固定されて、当該外周面１０２の上部及び下部から上下対称にかつ上下各部で左右対称の配列で上下に向けて（上下の各主筋２１、２２に係合可能に）突出される。この場合、各開口回りせん断補強筋１１は１本の鉄筋が略Ｕ字形（又は略コ字形）に折り曲げ加工されて全体が略Ｕ字形（又は略コ字形）に形成され、さらにその両端が（上下の各主筋２１、２２に係止可能に）内側に向けて略Ｊ字形に折り曲げられて両端にフック１１０が形成される。なお、これらの開口回りせん断補強筋１１はそれぞれ、開口回り補強体１０の外周面１０２の上下に向けられる斜めの各２面１０２Ｕ、１０２Ｄに固定され、上下方向の同じ所定の（高さ）位置（すなわち、梁の上下に配筋される主筋２１、２２に係合可能な位置）まで延ばされるため、各開口回りせん断補強筋１１の長さは開口回り補強体１０における固定位置によって異なり、開口回り補強体１０の上下の頂部に近い位置に固定される開口回りせん断補強筋１１は短く、当該頂部から離れた位置に固定される開口回りせん断補強筋１１は長くなる。そして、これら開口回りせん断補強筋１１はそれぞれ、各フック１１０とは反対側の略Ｕ字形の中間部分が開口回り補強体１０の上下の各２面１０２Ｕ、１０２Ｄにそれぞれ所定のピッチで上下対称にかつ上下各部（左右２面１０２Ｕ、１０２Ｄ）で左右対称に埋め込み固定されて、先端にフック１１０を有する２本の鉄筋１１１が上下に向けて既述の所定の位置まで突出される。
【００１４】
図２にこの開口回り補強部材１を用いた（開口を有する鉄筋コンクリート梁における）開口回りの補強構造１Ｓを示している。図２に示すように、この開口回りの補強構造１Ｓは、鉄筋コンクリート梁２の開口２０が開口回り補強部材１の開口回り補強体１０により形成され、この開口２０の周辺がこの開口回り補強部材１の開口回り補強体１０と複数の開口回りせん断補強筋１１とにより補強される。
【００１５】
この種の鉄筋コンクリート梁２は、梁が延設される水平方向に複数本の上端主筋２１及び下端主筋２２が配筋され、これら主筋２１、２２の長手方向に沿って所定のピッチでこれらの主筋２１、２２を交差状に取り囲むようにして複数のせん断補強筋２３が配筋されて、これら主筋２１、２２及びせん断補強筋２３がコンクリート母材２６に埋設される構造になっており、開口２０は梁の長手方向所定の位置に幅方向に向けて貫通して形成される。この開口回りの補強構造１Ｓでは、梁の開口２０を形成する所定の位置に開口回り補強体１０が配置され、上下の各開口回りせん断補強筋１１が上下のフック１１０を介して上下の各主筋２１、２２に係合（係止）されて、これらの主筋２１、２２及びこの開口２０の両側に配筋されるせん断補強筋２３とともにコンクリート母材２６に一体化される。
【００１６】
図３にこの開口回り補強部材１を用いた（開口を有する鉄筋コンクリート梁における）開口回りの補強方法１Ｈを示している。図３に示すように、この補強方法１Ｈは、開口回り補強部材１を予め工場生産しておき、施工現場で当該開口回り補強体１０を鉄筋コンクリート梁の開口２０を形成する所定の位置に配置し、上下の各開口回りせん断補強筋１１を上下のフック１１０を介して上下の各主筋２１、２２に係合（係止）して、これらの主筋２１、２２及びこの開口２０の両側に配筋するせん断補強筋２３とともにコンクリート母材に一体化する。
【００１７】
この施工手順の具体例を図４に示している。まず、図４（１）に示すように、梁が延設される水平方向に複数本の下端主筋２２を配筋する。次に、図４（２）に示すように、開口回り補強部材１を取り付ける。この場合、開口回り補強部材１を梁の開口２０を形成する所定の位置に嵌め込み、下側の各開口回りせん断補強筋１１を下端のフック１１０を介して外側の各下端主筋２２に係合（係止）する。次いで、図４（３）に示すように、梁が延設される水平方向に複数本の上端主筋２１を配筋し、開口回り補強部材１の上側の各開口回りせん断補強筋１１を上端のフック１１０を介して外側の各上端主筋２１に係合（係止）する。続いて、下端主筋２２に下部幅止め筋２５を取り付ける。さらに、図４（４）に示すように、上端主筋２１に上部幅止め筋２４を取り付ける。そして、この開口２０の両側に複数本のせん断補強筋２３を配筋した後、これら開口回り補強部材１及び各種の鉄筋の周囲に型枠を組み立て形成し、この型枠内にコンクリートを打設する。
【００１８】
また、この補強方法は図５に示すような施工手順としてもよい。まず、図５（１）に示すように、梁が延設される水平方向に複数本の下端主筋２２を配筋する。次に、図５（２）に示すように、下端主筋２２に下部幅止め筋２５を取り付ける。続いて、図５（３）に示すように、梁が延設される水平方向に複数本の上端主筋２１を配筋する。次いで、図５（４）に示すように、開口回り補強部材１を取り付ける。この場合、開口回り補強部材１を梁の開口２０を形成する所定の位置に嵌め込み、上側の各開口回りせん断補強筋１１を上端のフック１１０を介して外側の各上端主筋２１に係合（係止）し、下側の各開口回りせん断補強筋１１をそれぞれ下部幅止め筋２５に重ね合わせて配置する。続いて、図５（５）に示すように、上端主筋２１に上部幅止め筋２４を取り付ける。そして、この開口２０の両側に複数本のせん断補強筋２３を配筋した後、これら開口回り補強部材１及び各種の鉄筋の周囲に型枠を組み立て形成し、この型枠内にコンクリートを打設する。
【００１９】
図６にかかる開口回りの補強性能を示している。図６に示すように、開口回り補強体１０が梁の開口２０を形成する位置に配置され、上下の各開口回りせん断補強筋１１が上下の各主筋２１、２２に係合されて、コンクリート母材２６に一体化されたことで、繊維入り補強モルタル又はコンクリートそれ自体が高い強度を有し、この繊維入り補強モルタル又はコンクリートの開口回り補強体１０が鉄筋コンクリート梁２のコンクリート母材２６内に埋入されるので、開口回り補強体１０（繊維入り補強モルタル又はコンクリート）とコンクリート母材２６との付着性が極めてよく、この両者間や開口回り補強体１０周辺のコンクリート母材２６に割れやひびが生じにくくなり、また、割れやひびが入った場合でも、それが大きく広がることがなく、しかも開口回り補強体１０の外周面１０２の６面にそれぞれコッター１０３が設けられているので、開口回り補強体１とコンクリート母材２６との接合性もまたよく、開口２０の回りは高い強度を得て補強される。このようにして開口回り補強体１０は引張力が作用しても脆性的に壊れることがなく、開口２０部分の圧縮荷重を負担する。そして、上下の各開口回りせん断補強筋１１はこの引張力が作用しても脆性的に壊れない開口回り補強体１０を介して一体化され、上側の各開口回りせん断補強筋１１が上端主筋２１に係合され、下側の各開口回りせん断補強筋１１が下端主筋２２に係合されたことで、開口回り補強部材１全体と上端主筋２１との間、及び開口回り補強部材１全体と下端主筋２２との間での引張力の伝達が図られ、鉄筋コンクリート梁２に作用する曲げモーメント及びせん断力に対して、この開口回り補強部材１が梁２の全成に亘って引張力を負担し、これら開口回り補強部材１、上端主筋２１又は下端主筋２２、せん断補強筋２３、及びコンクリート母材２６によりトラス機構を構成する。例えば、鉄筋コンクリート梁２の中間部に鉛直下向きの集中荷重が作用したときの曲げモーメントに対しては上端主筋２１が引張力を負担し、下端側のコンクリート母材２６が圧縮力を負担することにより抵抗する。また、せん断力に対しては、開口２０の部分では、鉄筋コンクリート梁２のコンクリート母材２６及び繊維入り補強モルタル又はコンクリート（開口回り補強体１０）に形成される圧縮ストラットと、開口回りせん断補強部材１１が負担する引張力と、上端主筋２１又は下端主筋２２の付着力によって構成されるトラス機構により抵抗する。これにより、開口２０を有する鉄筋コンクリート梁２のせん断耐力は開口による耐力の低下が小さい。
【００２０】
以上説明したように、この開口回り補強部材１を用いた開口回りの補強構造１Ｓでは、繊維入り補強モルタル又はコンクリートにより略リング状（又は略筒状）に形成された開口回り補強体１０が梁の開口２０を形成する位置に配置され、上下の各開口回りせん断補強筋１１が上下の各主筋２１、２２に係合されて、コンクリート母材２６に一体化され、簡易な構造でありながら、開口２０は引張力が作用しても脆性的に壊れない繊維入り補強モルタル又はコンクリートを使用して形成されるので、開口２０部分の圧縮力を伝達することができ、また、上下の各開口回りせん断補強筋１１がこの引張力が作用しても脆性的に壊れない開口回り補強体１０を介して一体化され、上側の各開口回りせん断補強筋１１が上端主筋２１に係合され、下側の各開口回りせん断補強筋１１が下端主筋２２に係合されるので、上下の各開口回りせん断補強筋１１に作用する応力を高強度の開口回り補強体１０を通して相互に伝達することができ、そして、これら開口回り補強部材１、上端主筋２１又は下端主筋２２、せん断補強筋２３、及びコンクリート母材２６によりトラス機構を構成するので、開口回り補強部材１とコンクリート母材２６との間で応力の伝達を確実に行うことができ、開口２０を有する鉄筋コンクリート梁２のせん断耐力において、開口による耐力の低下を小さくすることができる。また、この補強構造１Ｓでは、従来のように開口の回りに鉄筋が複雑な配置で配筋されることがないので、コンクリートの充填性がよく、また、鋼材の使用量を減らしてコストを削減することができる、という利点がある。さらに、この種の鉄筋コンクリート梁２は、開口２０の位置と大きさが梁の全長と全成などによって制限があるが、この制限を超えざるを得ないような場合でも、この補強構造１Ｓによれば、開口による耐力の低下が小さいので、柔軟な対応が可能で、開口２０の位置の自由度を向上させることができ、開口２０の大きさを可及的に拡大することができる。
【００２１】
また、この補強構造１Ｓの場合、開口回り補強体１０が繊維入り補強モルタル又はコンクリートにより多角形の断面形状で、最適な強度を確保するために必要な肉厚に形成されるので、開口回り補強体１０の剛性を高くして、変形しにくくすることができる。なお、開口を例えば鋼材で補強しようとすると、鋼材は外力に対して変形しやすく、また、変形を防止するために、鋼材の肉厚を大きくしようとすれば、コストは大きく増大せざるを得ないため、この点でも、開口回り補強体１０が繊維入り補強モルタル又はコンクリートで形成されることの利点は大きい。
【００２２】
さらに、この補強構造１Ｓの場合、繊維入り補強モルタル又はコンクリートの開口回り補強体１０がコンクリート母材２６に一体化されるので、この両者間の付着性は極めてよく、この両者間や開口回り補強体１０周辺のコンクリート母材２６に割れやひびが生じにくく、また、割れやひびが入った場合でも、それが大きく広がることがない。しかもこの開口回り補強体１０の外周面１０２の６面にそれぞれコッター１０３が設けられているので、開口回り補強体１０とコンクリート母材２６との接合性もまたよく、開口２０回りを十分な強度で補強することができる。なお、開口を例えば鋼材で補強しようとすると、鋼材とコンクリートでは、繊維入り補強モルタル又はコンクリートとコンクリートに比べて、付着性の点で劣り、鋼材とコンクリートとの間が割れたり鋼材周辺のコンクリートにひびが入ったりしやすく、また、このひびから空気や水が入ったりすると、鋼材に錆びが発生するなど劣化が始まり、耐久性が損なわれることになって、この点でも、開口回り補強体１０が繊維入り補強モルタル又はコンクリートで形成されることの利点は大きい。
【００２３】
またさらに、この補強構造１Ｓの場合、開口回りせん断補強筋１１は突出端に各主筋２１、２２に係止可能に略Ｊ字形のフック１１０が設けられているので、上下の各主筋２１、２２に簡易かつ確実に係合させることができる。
【００２４】
また、この開口回り補強部材１を用いた開口回りの補強方法１Ｈでは、予め工場生産により製作した開口回り補強部材１を梁の開口２０を形成する位置に配置し、上下の各開口回りせん断補強筋１１をフック１１０により上下の各主筋２１、２２に係合させて、コンクリート母材２６に一体化するので、開口２０回りの配筋作業が容易で、コンクリートの充填性がよいなど、簡易な施工で、鉄筋コンクリート梁２に開口２０を容易に形成でき、当該開口２０の回りを既述のとおりの作用効果により確実に補強することができる。
【００２５】
なお、この実施の形態では、開口回りせん断補強筋１１の突出端に主筋２１、２２に係止可能に略Ｊ字形のフック１１０を設けたが、図７に示すように、略Ｕ字形若しくは略コ字形のフック１１０を設けてもよい。この場合、図８に示すように、このフック１１０に主筋２１、２２を通す必要があるため、略Ｊ字形のフックに比べて施工性の点で劣後するが、このようにしても開口回りせん断補強筋１１を主筋２１、２２に確実に係合させることができ、上記と同様の作用効果を奏することができる。また、この実施の形態では、開口回り補強体（の外形）を六角形の断面形状に形成したが、例えば正方形や五角形など他の多角形の断面形状に形成してもよい。さらに、図９に示すように、この開口回り補強体１０（の外形）を、円形の断面形状に形成してもよく、この場合においても、上記と同様に、開口回りせん断補強筋１１の突出端に略Ｊ字形又は略Ｕ字形若しくは略コ字形のフック１１０を備えることで、図１０に示すように、上下の各主筋２１、２２に係合させて、コンクリート母材に一体化することができる。このようにしても上記と同様の作用効果を奏することができる。またさらに、この実施の形態では、開口回り補強体１０の外周面１０２にコッター１０３を溝状に形成したが、これとは反対に突状にしてもよく、このようにしても上記と同様の作用効果を奏することができる。また、コッター１０３はなくてもよく、この場合、コッター１０３を備えたものに比べて、開口回り補強体１０とコンクリート母材２６との接合性は若干劣後することになる。
【符号の説明】
【００２６】
１  開口回り補強部材
１０  開口回り補強体
１０１  開口部
１０２  外周面
１０３  コッター
１１  開口回りせん断補強筋
１１０  フック
１１１  鉄筋
１Ｓ  開口回りの補強構造
１Ｈ  開口回りの補強方法
２  鉄筋コンクリート梁
２０  開口
２１  上端主筋
２２  下端主筋
２３  せん断補強筋
２４  上部幅止め筋
２５  下部幅止め筋
２６  コンクリート母材
【図１】
0005513025.tif 000002
【図２】
0005513025.tif 000003
【図３】
0005513025.tif 000004
【図４】
0005513025.tif 000005
【図５】
0005513025.tif 000006
【図６】
0005513025.tif 000007
【図７】
0005513025.tif 000008
【図８】
0005513025.tif 000009
【図９】
0005513025.tif 000010
【図１０】
0005513025.tif 000011
【図１１】
0005513025.tif 000012
【図１２】
0005513025.tif 000013
【図１３】
0005513025.tif 000014